(57)【要約】【課題】  通信状態を表示する表示灯の点灯，点滅が目障りとならない通信機器を提供する。【解決手段】  中央配線ボックス１内の通信機器Ａの筐体１０内にはハブ２０を収納し、ハブ２０の前面にはＬＥＤ表示灯２０ａが設けられており、ＬＥＤ表示灯２０ａは、筐体１０の前面に穿設した略矩形の開口部１０ａを介して前方に露出している。そして、略矩形のカバー１０ｂの上辺部が開口部１０ａの上辺部に回動自在に軸支されており、通常、カバー１０ｂは上方向に回動して開口部１０ａを露出した開状態の位置で保持されており、ＬＥＤ表示灯２０ａを前方から見ることができる。一方、夜間や確認不要時には、カバー１０ｂを下方向に回動させればカバー１０ｂは開口部１０ａに嵌合した閉状態となってＬＥＤ表示灯２０ａを隠蔽し、ＬＥＤ表示灯２０ａが見えなくなる。【選択図】図１
2005316751.tif 000002
【特許請求の範囲】
【請求項１】
各種情報の伝送路である信号線が接続される通信ポートと、該通信ポートの通信状態を表示する表示灯と、該表示灯に対向する面に設けられて表示灯を隠蔽可能であり且つ前記面から外すことで表示灯を外部へ露出させるカバーとを備えることを特徴とする通信機器。
【請求項２】
各種情報の伝送路である信号線が接続される通信ポートと、該通信ポートの通信状態を表示する表示灯と、該表示灯を点灯、点滅させる表示動作と表示灯を消灯させる消灯動作とを切り換えるスイッチ手段とを備えることを特徴とする通信機器。
【発明の詳細な説明】
【技術分野】
【０００１】
本発明は、通信ポートの通信状態を表示する表示灯を備えた通信機器に関するものである。
【背景技術】
【０００２】
ハブやルータ等の通信機器は通信ポートを具備して、各種情報の伝送路である信号線が通信ポートに接続されており、これらの通信機器は盤内に収納されたり、あるいは単体で設置されて用いられていた（例えば、特許文献１参照）。このような通信機器は例えば図６（ａ）〜（ｃ）に各々示すルータ１００のように、ＬＥＤ表示灯１００ａをその外面に備えており、ＬＥＤ表示灯１００ａの点灯，点滅，色によって、各通信ポートの通信状態や電源のオン・オフ状態等が確認可能になっていた。
【特許文献１】特開２０００−３４１７２４号公報
【発明の開示】
【発明が解決しようとする課題】
【０００３】
しかし、上記ＬＥＤ表示灯１００ａは常に点灯、点滅しているため、特に一般家庭で使用される通信機器においては、夜間あるいは通信状態確認が不要なときには目障りとなっていた。
【０００４】
本発明は、上記事由に鑑みてなされたものであり、その目的は、通信状態を表示する表示灯の点灯，点滅が目障りとならない通信機器を提供することにある。
【課題を解決するための手段】
【０００５】
請求項１の発明は、各種情報の伝送路である信号線が接続される通信ポートと、該通信ポートの通信状態を表示する表示灯と、該表示灯に対向する面に設けられて表示灯を隠蔽可能であり且つ前記面から外すことで表示灯を外部へ露出させるカバーとを備えることを特徴とする。
【０００６】
この発明によれば、通信状態確認が必要なときは、カバーを外して表示灯の点灯、点滅、色等の状態を確認できる。また、夜間あるいは通信状態確認が不要なときは、カバーを装着すれば表示灯が見えなくなるので目障りとならない。
【０００７】
請求項２の発明は、各種情報の伝送路である信号線が接続される通信ポートと、該通信ポートの通信状態を表示する表示灯と、該表示灯を点灯、点滅させる表示動作と表示灯を消灯させる消灯動作とを切り換えるスイッチ手段とを備えることを特徴とする。
【０００８】
この発明によれば、通信状態確認が必要なときは、スイッチ手段を操作して点灯、点滅動作とすれば表示灯の点灯、点滅、色等の状態を確認でき、また、夜間あるいは通信状態確認が不要なときはスイッチ手段を操作して消灯動作にし、表示灯を消灯させれば目障りとならない。
【発明の効果】
【０００９】
以上説明したように、本発明では、夜間あるいは通信状態確認が不要なときは表示灯の点灯，点滅を見えなくすることで、表示灯の点灯，点滅が目障りとならないようにできるという効果がある。
【発明を実施するための最良の形態】
【００１０】
以下、本発明の実施の形態を図面に基づいて説明する。
【００１１】
（実施形態１）
図１は、本実施形態の通信機器Ａを中央配線ボックス１に収納した全体斜視図を示す。中央配線ボックス１は屋内に設置され、屋内には各種情報の伝送路としてＬＡＮケーブルおよび電話線が先行配線されている。さらに、屋内の各部屋には、先行配線されたＬＡＮケーブルを外部機器（ネットワーク接続機能を有するパーソナルコンピュータ等のＬＡＮの端末）に接続するためのＬＡＮコンセントと、先行配線された電話線を外部機器（電話機等）に接続するためのＴＥＬコンセントとが配設されている。
【００１２】
中央配線ボックス１は合成樹脂製の蓋部１ａ及びボディ１ｂで構成されて、蓋部１ａはボディ１ｂの前面開口に覆設される。また図２に示すように、ボディ１ｂ内には、通信機器Ａと、電話端子台１１と、電源コンセント１２とが収納されており、通信機器Ａおよび電話端子台１１は、ＬＡＮケーブルや電話線等の信号線に接続される。そして、通信機器Ａおよび電源コンセント１２は、蓋部１ａの前面に穿設された各開口に前面が各々嵌まるとともに、各開口から前面を各々露出している。
【００１３】
通信機器Ａは函体に形成された筐体１０を備え、筐体１０内にはＬＡＮケーブルや電話線が接続される通信ポートを具備したハブやルータ等が収納されている。以下、本実施形態において筐体１０内には、各部屋のＬＡＮコンセントにＬＡＮケーブルを介して接続される通信ポートを具備したハブ２０が収納されているものとする。ハブ２０はその前面に２列のＬＥＤ表示灯２０ａが両側方向に列設されており、各ＬＥＤ表示灯２０ａの点灯，点滅，色によって、各通信ポートの通信状態やハブ２０の電源オン・オフ状態等を確認できる。ここで通信状態とは、リンク確立状態、信号受信状態、通信速度、通信モード等のことであり、例えば、点灯時はリンク確立状態、点滅時は信号受信状態、色が緑のときは１００Ｍ全二重モード、色が黄のときは１００Ｍ半二重モード、色が橙のときは１０Ｍ全二重または半二重モードを示す。これらのＬＥＤ表示灯２０ａは、筐体１０の前面に穿設した略矩形の開口部１０ａに対向して位置しており、開口部１０ａを介して前方に露出している。そして、略矩形のカバー１０ｂの上辺部が開口部１０ａの上辺部に回動自在に軸支されている。通常、カバー１０ｂは、図１に示すように上方向に回動して開口部１０ａを露出した開状態の位置で保持されており、ＬＥＤ表示灯２０ａの点灯、点滅、色を開口部１０ａを介して前方から見ることができ、ハブ２０の通信状態を確認することができる。一方、夜間や通信状態の確認不要時には、図３に示すようにカバー１０ｂを下方向に回動させればカバー１０ｂは開口部１０ａに嵌合した閉状態となってＬＥＤ表示灯２０ａを隠蔽し、ＬＥＤ表示灯２０ａが見えなくなり、目障りとならない。
【００１４】
そして、筐体１０の前面には、ＬＡＮ用モジュラジャック３０と、テレホンモジュラジャック３１，３２とが露出しており、各モジュラジャックには、パソコン、電話機、スプリッタ、ＡＤＳＬモデム等のユーザの設備に応じた外部機器に配線を介して接続したモジュラプラグ（図示なし）が挿入される。そして、ＬＡＮ用モジュラジャック３０は、各部屋のＬＡＮコンセントにハブ２０を介して接続され、テレホンモジュラジャック３２は電話端子台１１を介して各部屋のＴＥＬコンセントに接続している。
【００１５】
また、ＬＡＮ用モジュラジャック３０と、テレホンモジュラジャック３１，３２の上方には切り分けスイッチ３３が露出しており、切り分けスイッチ３３は通信機器Ａ内に収納した切分器（図示なし）の動作を切り換えるものであって、切り分けスイッチ３３を操作することによって、加入者線をテレホンモジュラジャック３１に接続するか、あるいはテレホンモジュラジャック３２に接続するかを切り換えることができ、例えば宅内電話と加入者線との切り分けを行う。
【００１６】
また、ボディ１ｂ内の一方の側面と通信機器Ａとの間には、電話端子台１１が収納されており、電話端子台１１は、１組の加入者線接続用の端子１１ａと、８組の宅内配線用の端子１１ｂとを設けて、各端子は互いにスター接続されており、テレホンモジュラジャック３２および各部屋のＴＥＬコンセントは端子１１ｂに各々接続して互いにスター配線されている。
【００１７】
さらに、ボディ１ｂ内の他方の側面と通信機器Ａとの間には、電源コンセント１２をネジ留めして取着した取付枠１３が配置されており、電源コンセント１２は、一対の栓刃挿入孔１２ａを２組具備して外部機器へ電源を供給することができる。
【００１８】
ボディ１ｂの底面には通線口４０，４１が穿設されており、通線口４０は通信機器Ａの下方に形成され、通線口４１は電源コンセント１２の下方に形成されており、弱電配線は通線口４０を挿通し、強電配線は通線口４１を挿通して配線される。また、ボディ１ｂは底面四隅に穿設された取付孔４２にネジ（図示なし）を挿通して造営物等に固定される。
【００１９】
蓋部１ａの両側面下方には、後端を開放した一対の切欠部５０が形成され、切欠部５０間の可撓片５２には略円形の凹部５１が形成されており、蓋部１ａの両側面の凹部５１を内側に押し込むことで可撓片５２が撓み、可撓片５２の内面側に設けられた係止部（図示なし）とボディ１ｂとの係止状態が解除されて、蓋部１ａをボディ１ｂから外すことができる。
【００２０】
また、ハブ２０として、本通信機器Ａの専用品あるいは市販品のいずれを用いる場合でも、ハブ２０に設けたＬＥＤ表示灯２０ａに対向して、開口部１０ａとカバー１０ｂとを筐体１０に設けることで、同様の効果を奏し得る。
【００２１】
（実施形態２）
本実施形態の通信機器Ａは、実施形態１のカバー１０ｂを省略して、ハブ２０の前面に図４，図５に示すようなＬＥＤ動作切換スイッチ２０ｂを設けたものである。ＬＥＤ動作切換スイッチ２０ｂはＬＥＤ表示灯２０ａの下方近傍に設けられ、開口部１０ａはＬＥＤ表示灯２０ａ、ＬＥＤ動作切換スイッチ２０ｂを前方に露出させている。
【００２２】
そして、ＬＥＤ動作切換スイッチ２０ｂを押下することで、実施形態１で説明したＬＥＤ表示灯２０ａの点灯，点滅動作と、全てのＬＥＤ表示灯２０ａを消灯させる消灯動作とが交互に切り換わる。消灯動作時には、ＬＥＤ表示灯２０ａの点灯電流を遮断する、あるいはＬＥＤ表示灯２０ａのドライバの動作電源を遮断する等の方法でＬＥＤ表示灯２０ａを消灯させる。すなわち、夜間や確認不要時には、ＬＥＤ動作切換スイッチ２０ｂを押下してＬＥＤ表示灯２０ａを消灯させることができ、目障りとならない。そして、必要に応じてＬＥＤ動作切換スイッチ２０ｂを再押下することで、ＬＥＤ表示灯２０ａを点灯，点滅させることができる。
【００２３】
なお、実施形態１と同様の構成には同一の符号を付して説明は省略する。
【図面の簡単な説明】
【００２４】
【図１】本発明の実施形態１の通信機器を中央配線ボックスに収納した外観を示す全体斜視図である。
【図２】同上のボディ内を示す前面図である。
【図３】同上のカバーを閉じたときの全体斜視図である。
【図４】本発明の実施形態２の通信機器を中央配線ボックスに収納した外観を示す全体斜視図である。
【図５】同上の一部拡大図である。
【図６】（ａ）〜（ｃ）従来のルータを示す全体斜視図である。
【符号の説明】
【００２５】
Ａ  通信機器
１  中央配線ボックス
１ａ  蓋部
１ｂ  ボディ
１０  筐体
１０ａ  開口部
１０ｂ  カバー
２０  ハブ
２０ａ  ＬＥＤ表示灯
３０  ＬＡＮ用モジュラジャック
３１，３２  テレホンモジュラジャック
【図１】
2005316751.tif 000003
【図２】
2005316751.tif 000004
【図３】
2005316751.tif 000005
【図４】
2005316751.tif 000006
【図５】
2005316751.tif 000007
【図６】
2005316751.tif 000008